(57)【要約】【課題】予め工場で加工された既成品である３種類の壁パネルを組み合わせて構築される乾式の地下外壁二重壁構造を提供する。【解決手段】地下階排水溝を形成する位置の床スラブの上面と上階スラブの下面とにそれぞれ上レールと下レールとが設置され、上下のレールの差込溝内に壁パネルが差し込まれて構成され、前記壁パネルは、予め工場等で加工された、基準パネルと、左右方向の幅寸を可変の調整パネル、および点検口を有する点検口付きパネルの３種類のパネルを組み合わせ、相互間を連結して構築されている。【選択図】    図６
2010070907.tif 000002
【特許請求の範囲】
【請求項１】
地下構造物の地下外壁より内側の地下階排水溝を形成する位置に構築される乾式の地下外壁二重壁構造において、
上記地下階排水溝を形成する位置の床スラブの上面と上階スラブの下面とにそれぞれ上レールと下レールとが設置され、上下のレールの差込溝内に壁パネルが差し込まれて構成され、
前記壁パネルは、予め工場等で加工された、基準パネルと、左右方向の幅寸を可変の調整パネル、および点検口を有する点検口付きパネルの３種類のパネルを組み合わせ、相互間を連結して構築されていることを特徴とする、乾式の地下外壁二重壁構造。
【請求項２】
各壁パネルには、その両側縁部にフランジ部が設けられ、幅寸方向の中間に間隔をあけて複数のリブが設けられており、同リブとフランジ部は上下のレールの差込溝内へ差し込まれる際に支障のない高さに形成され、両側縁部のフランジ部が隣り合う壁パネル同士の間で連結されていることを特徴とする、請求項１に記載した乾式の地下外壁二重壁構造。
【請求項３】
調整パネルは、２枚のパネル材を中央部で互いに重ね合わせた構成とされ、同パネル材の重ね合わせ部分にそれぞれ水平方向に伸びる長孔が互いに一致する位置と形状に設けられており、同長孔内に通したボルトに蝶ナットがねじ込まれており、双方のパネル材は長孔の範囲内でスライドさせて寸法を調整し、蝶ナットで固定する構成とされていることを特徴とする、請求項１又は２に記載した乾式の地下外壁二重壁構造。
【請求項４】
点検口付きパネルには、その点検口を開閉自在な扉が設けられており、同点検口付きパネルは壁パネルとして一定の間隔毎に組み入れられていることを特徴とする、請求項１又は２に記載した乾式の地下外壁二重壁構造。
【発明の詳細な説明】
【技術分野】
【０００１】
この発明は、地下構造物の地下外壁より内側位置に、複数の壁パネルを建て入れて構築される地下外壁二重壁構造の技術分野に属し、更に云うと、予め工場で加工された既成品である３種類の壁パネルを組み合わせて構築される乾式の地下外壁二重壁構造に関する。
【０００２】
従来、この種の地下外壁二重壁構造としては、コンクリートブロックのような透湿性材料を積み上げ、目地部にモルタルを詰めて構築する所謂湿式壁構造が一般的であった。この場合には、多数のコンクリートブロック、セメント、鉄筋や機器類を狭い地下階へ搬入、搬出して作業しなければならず、面倒な配筋をした上でコンクリートブロックを夫々積み上げる必要がある。また、コンクリートブロックを積み上げる高さは、ＪＡＳＳ７の規定により１．６ｍ以内と定められているため、必要十分な高さの壁を構築するには施工手間が相当に掛かり、工期が長引く欠点があった。
【０００３】
上記の欠点に鑑みて、工場等で予め加工された乾式材料を現場で組立てて内壁を構築する乾式の地下外壁二重壁構造が、下記の特許文献１に開示されて公知である。
即ち、地下外壁より内側に地下階排水溝を形成する堰堤の上面と上階スラブの下面との間に溝形状の上レールと下レールを設置し、この上下のレールの間に金属製、又はプラスチック製、或いは木製で成る壁パネルの上下縁を挿入し、同上下のレールへ押し縁を嵌め入れて壁パネルを固定する構造が開示されている。
【０００４】
【特許文献１】特開平５−２８００６４号公報
【発明の開示】
【発明が解決しようとする課題】
【０００５】
しかし、上記特許文献１に記載された乾式の地下外壁二重壁構造は、材質が金属製、又はプラスチック製、或いは木製で成る壁パネルの何れも、幅や形状等が統一された１種類の加工品で構築されている。したがって、同壁パネルを様々に異なる地下構造物の幅寸に対応させるためには、その都度、壁パネルを現場で切断するなどの現場加工を施す必要があり、非常に面倒で自由度が低い。また、上下のレールの間に壁パネルを建て込んだ後、上下のレールの狭い隙間へ押し縁を嵌め入れてパネルを固定する作業は、非常に面倒で効率が悪い。
【０００６】
更に、地下外壁と壁パネルとの間には堰堤による地下階排水溝が形成されているが、この排水溝がゴミや土砂で埋まらないように時々点検したり掃除することが求められる。しかし、上記公知発明の乾式壁にはそのような作業を可能にする点検口が開示されていない。したがって、点検や掃除をする際には、その都度、上記押し縁を抜き取り壁パネルを取り外して、点検や掃除を行い、その後、再び建て入れるという非常に面倒な手順を踏まなければならないという問題点があった。
【０００７】
本発明の目的は、予め工場等で加工された既成品としての乾式パネルを組立てて構築する乾式の地下外壁二重壁構造を提供することであり、様々に異なる地下構造の幅寸に対応できる自由度があり、作業効率が良く、地下外壁と壁パネルとの間に形成された地下階排水溝の点検や掃除を容易に行える乾式の地下外壁二重壁構造を提供することにある。
【課題を解決するための手段】
【０００８】
上述した従来技術の課題を解決するための手段として、請求項１に記載した発明に係る乾式の地下外壁二重壁構造は、
地下構造物の地下外壁１より内側の地下階排水溝３を形成する位置に構築される乾式の地下外壁二重壁構造において、
上記地下階排水溝３を形成する位置の床スラブ２の上面と上階スラブ５の下面とにそれぞれ上レール６と下レール７とが設置され、上下のレール６、７の差込溝８、９内に壁パネルＰが差し込まれて構成され、
前記壁パネルＰは、予め工場等で加工された、基準パネル１２と、左右方向の幅寸を可変の調整パネル１３、および点検口１６を有する点検口付きパネル１５の３種類のパネルを組み合わせ、相互間を連結して構築されていることを特徴とする。
【０００９】
請求項２記載の発明は、請求項１に記載した乾式の地下外壁二重壁構造において、
各壁パネルＰには、その両側縁部にフランジ部が設けられ、幅寸方向の中間に間隔をあけて複数のリブが設けられており、同リブとフランジ部は上下のレールの差込溝内へ差し込まれる際に支障のない高さに形成され、両側縁部のフランジ部が隣り合う壁パネル同士の間で連結されていることを特徴とする。
【００１０】
請求項３記載の発明は、請求項１又は２に記載した乾式の地下外壁二重壁構造において、
調整パネル１３は、２枚のパネル材１３０、１３１を中央部で互いに重ね合わせた構成とされ、同パネル材１３０、１３１の重ね合わせ部分にそれぞれ水平方向に伸びる長孔１３０ｃ、１３１ｃが互いに一致する位置と形状に設けられており、同長孔１３０ｃ、１３１ｃ内に通したボルト１４０に蝶ナット１４１がねじ込まれており、双方のパネル材１３０、１３１は長孔１３０ｃ、１３１ｃの範囲内でスライドさせて寸法を調整し、蝶ナット１４１で固定する構成とされていることを特徴とする。
【００１１】
請求項４記載の発明は、請求項１又は２に記載した乾式の地下外壁二重壁構造において、
点検口付きパネル１５には、その点検口１６を開閉自在な扉１８が設けられており、同点検口付きパネル１５は壁パネルＰとして一定の間隔毎に組み入れられていることを特徴とする。
【発明の効果】
【００１２】
請求項１〜４に記載した発明に係る乾式の地下外壁二重壁構造は、予め工場等で加工された既成品としての壁パネルＰを組み立てる乾式構造であり、地下外壁１より内側の地下階排水溝３を形成する位置に、基準パネル１２と、左右の幅寸を可変の調整パネル１３、及び点検口１６を有する点検口付きパネル１５の３種類を選択的に使用して構築する構造としたので、現場での加工が必要でなく現場作業が簡単であり、様々に異なる地下構造物に対して、前記調整パネル１３が左右の幅寸を微調整して対応でき施工の自由度が高い。また、点検口付きパネル１５を使用するので、その点検口１６から地下階排水溝３の状況や地下外壁１の内壁面、壁パネルＰの壁面等の点検ができる。更には、点検口１６から掃除具等を容易に差し込んで、地下階排水溝３の掃除等のメンテナンス作業を誰でも容易に行える。
【００１３】
また、上記３種類の壁パネルＰは、ふすま等を建て込む要領で上下のレール６、７の差込溝８、９へ建て入れる所謂ケンドン式の構成とされている。つまり、上記特許文献１の問題点であった上下のレールに押し縁を嵌め入れて固定する面倒な固定作業の必要がない構成であり、３種類の壁パネルＰの建て入れ作業及び取り外し作業を、熟練技術を必要とせず容易に行うことができ、作業効率が良い。
【発明を実施するための最良の形態】
【００１４】
本発明は地下構造物の地下外壁より内側の地下階排水溝３を形成する位置に構築される乾式の地下外壁二重壁構造である。
上記地下階排水溝３を形成する堰堤４の上面と上階スラブ５の下面とにそれぞれ上レール６と下レール７とが設置され、上下のレール６、７の差込溝８、９内に壁パネルＰが差し込まれて構成される。
前記壁パネルＰは、予め工場等で加工された、基準パネル１２と、左右方向の幅寸を可変の調整パネル１３、および点検口を有する点検口付きパネル１５の３種類のパネルを組み合わせ、相互間を連結して構築されている。
【実施例１】
【００１５】
以下、本発明を図示した実施例に基づいて説明する。
本実施例は、予め工場等で製作された既成品としての乾式壁パネルを組み立てて内壁を構築する所謂乾式の地下外壁二重壁構造として実施されるものであり、その特長は３種類の壁パネルを選択的に組み合わせて構築することである。
【００１６】
図１に示すように、地下外壁１の内側面から所定の間隔をあけた位置、つまり地下階排水溝３を形成する位置の床スラブ２の上面と上階スラブ５の下面とへ、それぞれアルミ型材から成る上レール６と下レール７とが設置されている。図示例の床スラブ２は、上記外壁１から所定の間隔をあけて地下階排水溝３を形成する堰堤４が構築された構成とされており、前記下レール７は具体的には前記堰堤４の上面に設置されている。
前記上下のレール６、７は、ウエブ６０ａ、７０ａの片側からそれぞれ立ち上がる垂直型のフランジ６０ｂ、７０ｂとＬ字形状のフランジ６０ｃ、７０ｃを有するアルミ型材で成る下地材６０、７０と、ウエブ６１ａ、７１ａの内方に突出する差込溝８、９を有するＬ字形状のランナー６１、７１とで構成されている。
前記下地材６０、７０は、前記堰堤４の上面と上階スラブ５の下面へ、それぞれの開口部が対向する位置に配置され、ウエブ６０ａ、７０ａへヒルティーアンカー等のコンクリート釘１０、１０を打ち付けて固定されている。この下地材６０、７０の上部へ、上記ランナー６１、７１をその差込溝８、９が対向する配置で被せ、同下地材６０、７０のフランジ６０ｂ、７０ｂと、同ランナー６１、７１のフランジ６１ｂ、７１ｂとをビス１１で止め、更に下地材６０、７０のＬ字形状のフランジ６０ｃ、７０ｃと、ランナー６１、７１のウエブ６１ａ、７１ａとをビス１１で止めて上下のレール６、７が設置されている。
【００１７】
上記のように設置された上下のレール６、７の差込溝８、９に、既成品である３種類の壁パネルＰが建て込まれている。壁パネルＰの寸法は、一例として高さ２０００ｍｍ、幅９００ｍｍ程度ある。壁パネルＰの高さは、上下の差込溝８、９間の高さＬよりも低い高さＭとされており、上述したケンドン式でふすまを建て込む要領で差込溝８、９へ差し込める構造である。つまり、上レール６の差込溝８の頂部へ壁パネルＰの上縁部を差し入れた状態で、同パネルＰの下縁部を下レール７の差込溝９内へ差し入れて落とし込む要領で建て込まれる。しかる後に、差込溝８、９内の壁パネルＰとの隙間にシール材Ｓを充填して固定する。
壁パネルＰの取り外しは、上記手順の逆を行えばよいので、壁パネルＰの取り替え作業やメンテナンスを容易に行うことができる。  
【００１８】
次に、上記上下のレール６、７の差込溝８、９内へ建て込まれる３種類の壁パネルＰ、即ち、基準パネル１２と、左右の幅寸を可変の調整パネル１３、及び点検口付きパネル１５の構成を、それぞれ図面に基づいて具体的説明する。これらの壁パネルは焼付塗装鋼板を用い、予め工場で既成品として製作される。
【００１９】
先ず、図２Ａ、Ｂに基準パネル１２の平面図と正面図を示した。
この基準パネル１２は、後記する調整パネル１３や点検口付きパネル１５の形状や構成の標準となるパネルである。即ち、両側縁部には、ボルト孔を有するＬ字形状のフランジ部１２ａが形成されている。隣り合う壁パネル同士は、前記フランジ部１２ａをビス止め又はボルト接合して一枚版状に連結する。
この基準パネル１２の幅寸方向の中間には、例えば図示例の場合は全幅を３等分した２箇所の位置にリブ１２ｂが設けられてパネルの面外剛性を高めている。このリブ１２ｂは、図２Ａの平面図では、一枚の焼付塗装鋼板を所定箇所で折り曲げ加工することにより形成されるが、この限りではなく、例えばアングル等を接合しても良い。
前記リブ１２ｂは、図１に示すように、基準パネル１２の上下縁部を上下のレール６、７の差込溝８、９へ差し込む際に、支障のない高さＮとなるように上下の端部が予め切断加工等して調整されている。前記フランジ部１２ａの高さも同様に、上下のレール６、７への差し込みに支障がない高さＮとなるように加工されている。
これらのリブやフランジ部は後記する調整パネル１３や点検口付きパネル１５においても同様に設けられるため、以下、同様の説明は省略する。
【００２０】
図３Ａ、Ｂには左右方向の幅寸を可変の調整パネル１３の平面図と正面図を示した。
この調整パネル１３は、一例として前記基準パネル１２の片側を約１／３だけ切断したに等しい構成のリブ付きパネル材１３０と、やはり基準パネル１２の片側を約１／３だけ切断し且つリブも切断したに等しい構成のリブ無しパネル１３１とを組み合わせて成り、それぞれのパネル１３０、１３１はその中央位置で重ね合わせた構成とされている。前記重ね合わせの状態の調整パネル１３の最大幅寸は基準パネル１２と同じ９００ｍｍである。
【００２１】
前記パネル材１３０、１３１の重なり合う部分には、それぞれ左右方向に長い長孔１３０ｃと、１３１ｃが互いに一致する位置と形状に設けられている。この長孔１３０ｃ、１３１ｃは、調整パネル１３の幅や高さに応じて複数設けられるが、断面欠損部となるので調整パネル１３の強度を損なわないように、２箇所程度が好ましい（図示例は２箇所）。この共通の長孔１３０ｃ、１３１ｃに、ボルト１４０が通され、同ボルト１４０に蝶ナット１４１がねじ込まれている。したがって、例えばリブ無しパネル材１３１を前記長孔１３１ｃの範囲内で（図示例では右方向へ）スライドさせ、蝶ナット１４１を締め付けて固定することで、調整パネル１３の幅を自在に調整することができる。この調整パネル１３の調整可能な幅寸は一例として最小約６２５〜最大９００ｍｍ程度である。この調整パネル１３は地下外壁二重構造の構築に際して、幅方向の寸法の調整の必要が生じる例えば端部又は中央部に組み入れられる。
【００２２】
図４Ａ、Ｂに点検口付きパネル１５の平面図と正面図を示し、図５に点検口部分の拡大図を示した。
この点検口付きパネル１５は、その略中央部に約６００ｍｍ×６００ｍｍの点検口１６が設けられている。そのため、この点検口付きパネル１５の強度を補強するコ字形状の補強部材１７、１７が、やはり上下のレール６、７に接触しない高さＮで、同点検口１６の両端を跨ぐ配置で上記リブ１５ｂとは別異に接合されている。
この点検口付きパネル１５には、同点検口１６を開閉自在な扉１８が設けられている（請求項４記載の発明）。この扉１８は、図５に示すように、左右辺の一つの縦辺がヒンジ１９により点検口付きパネル１５へ取り付けられ、他側の縦辺には簡易鈎材（図示省略）等を設けて開閉可能に構成されている。
【００２３】
上記の構成の点検口付きパネル１５を壁パネルＰの一種として一定の間隔毎に、例えば基準パネル１２の２枚置き毎に配置する組み合わせとすると、複数の点検口１６から地下階排水溝３の状況や地下外壁１の内壁面、壁パネルＰの壁面等の点検を必要十分にできる。更には、同複数の点検口１６からほうき等の掃除具を差し入れて、地下階排水溝３の掃除を切れ目無く十分に行うことができる。また、夏季においては扉１８を開放状態として、地下街壁１と壁パネルＰとの間の空間部分を換気することができる。 
【００２４】
上記した３種類の壁パネル（基準パネル１２、調整パネル１３、点検口付きパネル１５）は、図６に示すように、適切に組み合わせ、隣接するパネル同士をフランジ部（１２ｂ、１３ｂ、１５ｂ）で連結して一枚版状の壁体に構築される。
したがって、様々に異なる地下構造に対して、調整パネル１３がその幅寸を微調整して対応し、点検口付きパネル１５により、上記地下階排水溝３等の点検や掃除を見落とし無く確実、十分に行える地下外壁二重壁構造を実現できるのである。
【実施例２】
【００２５】
上記実施例１では、床スラブ２の構成が地下階排水溝３を形成する堰堤４が構築された場合を例に取り説明したが、地下階排水溝３に流れる水の量が少ない地下構造物においては、図７に示すように、堰堤４が構築されずフラットな床スラブ２に構成されている。この地下構造物の場合には、地下階排水溝３を形成する位置の床スラブ２の上面であって、上記下レール７の下地材７０のウエブ７０ａと床スラブ２との間に例えばブチルゴムなどの止水材２０を介在して同床スラブ２へ固定すると共に、上記構成の下レール７の地下階排水溝３側の隅部にはシール材２１を設けて止水性を発揮させる構成で実施することも好適に実施される。
【実施例３】
【００２６】
地下構造物の階高が例えば３ｍ以上で６ｍ程もある場合には、図示することは省略したが、堰堤２と上階スラブ５との間に縦スタッド（支柱）を複数箇所設け、同縦スタッド間に前記３種類の壁パネルＰを適宜組み合わせて実施することもできる。
【００２７】
以上に本発明を図面に示した実施例に基づいて説明したが、本発明は、図示した実施例の限りではなく、その技術的思想を逸脱しない範囲において、当業者が通常に行う設計変形、応用のバリエーションの範囲を含むことを念のため付言する。
【図面の簡単な説明】
【００２８】
【図１】本発明に係る乾式の地下外壁二重壁構造の概要を示す断面図である。
【図２】Ａは上下のレールに差し込まれる基準パネルの平面図である。ＢはＡの正面図である。
【図３】Ａは上下のレールに差し込まれる調整パネルの平面図である。ＢはＡの正面図である。
【図４】Ａは上下のレールに差し込まれる点検口付きパネルの平面図である。ＢはＡの正面図である。
【図５】点検口付きパネルの点検口及び扉の関係を示す斜視図である。
【図６】本発明の乾式の地下外壁二重壁構造を実施した状態を示す参考斜視図である。
【図７】本発明の実施例２を示す拡大断面図である。
【符号の説明】
【００２９】
１      地下外壁
２      床スラブ
３      地下階排水溝
４      堰堤
５      上階スラブ
６      上レール
７      下レール
８、９  差込溝
１２    基準パネル
１３    調整パネル
１５    点検口付きパネル
１６    点検口
１７    補強部材
１８    扉
【図１】
2010070907.tif 000003
【図２】
2010070907.tif 000004
【図３】
2010070907.tif 000005
【図４】
2010070907.tif 000006
【図５】
2010070907.tif 000007
【図６】
2010070907.tif 000008
【図７】
2010070907.tif 000009